(57)【要約】【課題】取り外して梱包されたスタンドの取り付けを容易にしつつ梱包箱の容積を減少してコンテナ入り数を増加することを目的とする。【解決手段】下箱１１ａにおいて、左スタンド１０ｂと右スタンド１０ｃを、本体１０ａの背面側において基部１０ｂ１、１０ｃ１の長辺をを左右方向に配向させつつ軸部１０ｂ２、１０ｃ２を上下方向に配向させて配置する。また、突起１４ａ３をスリット１１ａ１に、突起１４ｃ３をスリット１１ｃ１にそれぞれ係合させる。そして、凹み１４ａ２，１４ｃ２にそれぞれ左スタンド１０ｂと右スタンド１０ｃを係合させて、本体１０ａの底面に形成される挿入穴と各スタンドの軸部１０ｂ２，１０ｃ２の位置を合わせて軸部１０ｂ２，１０ｃ２を挿入穴に挿入する。【選択図】図６
2008074416.tif 000002
【特許請求の範囲】
【請求項１】
映像が表示されるプラズマディスプレイパネルの表示面を有する本体と、
前後に長い基部と該基部から鉛直上方に延びる軸部とをそれぞれ有して該本体の表示面を略鉛直に保持し、かつ該本体から着脱可能な左スタンドと右スタンドと、
を備えるプラズマテレビジョンの梱包構造において、
左右長さおよび前後長さが上記本体よりも十分に大きく、高さが上記本体よりも低い略直方体形状であり、上面を開口した形状の下箱と、
上記下箱内底の左端と右端と左右方向略中央部とに、それぞれ配置されて上記本体の底面と嵌合する凹みをそれぞれ有し、上記下箱と略同一の高さである左下緩衝材と右下緩衝材と中下緩衝材と、
上記本体上面内側の左端と右端と左右方向略中央部とに、それぞれ配置されて上記本体の上面と嵌合する凹みをそれぞれ有する左上緩衝材と右上緩衝材と中上緩衝材と、
下面を開口した略直方体形状であり、該開口の内面側サイズが上記下箱の外面側に略一致し、かつ上記左下緩衝材と上記右下緩衝材と上記中下緩衝材と上記本体と上記左スタンドと上記右スタンドと上記左上緩衝材と上記右上緩衝材と上記中上緩衝材とを上記下箱に配置して上方から被せると天面に上記左上緩衝材と上記中上緩衝材と上記右上緩衝材とが当接したときに下端が上記下箱の下面と略一致する上箱と、を備え、
上記左下緩衝材の後部右上角には、上記下箱の背面側との間に緩衝材を残しつつ上記左スタンドと係合する第一の係合凹みが形成され、該第一の係合凹みの前後方向幅は上記左スタンドの幅と略一致し、該第一の係合凹みの左側下端には左方向奥に向かって第一の穴が形成され、
上記中下緩衝材の後部左上角には、上記下箱の背面側との間に緩衝材を残しつつ上記左スタンドと係合する第二の係合凹みが形成され、該第二の係合凹みの前後方向幅は上記左スタンドの幅と略一致し、
上記右下緩衝材の後部左上角には、上記下箱の背面側との間に緩衝材を残しつつ上記右スタンドと係合する第三の係合凹みが形成され、該第三の係合凹みの前後方向幅は上記右スタンドの幅と略一致し、該第三の係合凹みの右側下端には右方向奥に向かって第二の穴が形成され
上記中下緩衝材の後部右上角には、上記下箱の背面側との間に緩衝材を残しつつ上記右スタンドと係合する第四の係合凹みが形成され、該第四の係合凹みの前後方向幅は上記右スタンドの幅と略一致し、
上記右スタンドは、上記第一の穴に基部の後端を挿入してから、上記第一の係合凹みと上記第二の係合凹みとに該基部を係合させることにより上記下箱内に固定され、
上記左スタンドは、上記第二の穴に基部の後端を挿入してから、上記第三の係合凹みと上記第四の係合凹みとに該基部を係合させることにより上記下箱内に固定され、
上記左上緩衝材の上面には、幅が基部の幅と略同一で上記左スタンドの基部と係合する第五の係合凹みが形成され
上記右上緩衝材の上面には、幅が基部の幅と略同一で上記右スタンドの基部と係合する第六の係合凹みが形成され
上記左上緩衝材の背面側には第一の突起が形成され、上記右上緩衝材の背面側には第二の突起が形成され、
上記下箱の前面側には、下箱の開口側端から略鉛直下方に向けて上記本体における上記左スタンドと上記右スタンドの間隔に一致する間隔で第一のスリットと第二のスリットが形成され、
上記第一の突起と上記第二の突起をそれぞれ上記第一のスリットと上記第二のスリットに係合させ、上記第五の係合凹みと上記第六の係合凹みにそれぞれ上記左スタンドの基部と上記右スタンドの基部を係合させ、上記本体の下面に形成されるスタンド用の挿入穴に上記軸部を挿入し、上記左スタンドおよび上記右スタンドを上記本体にネジ止め固定することを特徴とするプラズマテレビジョンの梱包構造。
【請求項２】
パネル型の表示部を有する本体と、前後に長い基部と該基部から鉛直上方に延びる軸部とを有して該本体の表示面を略鉛直に保持し、かつ該本体から着脱可能な左右のスタンドと、を備えるパネル型表示装置の梱包構造において、
上方を開口可能な左右に長く前後に短い略直方体型の箱と、
該箱の内底に配置されて上記本体の底面と嵌合する凹みを有する下緩衝材と、
該下緩衝材の上記本体背面側において、上記左右のスタンドの基部の長辺を左右方向に配向させてそれぞれ受け入れる基部用空間と、
上記箱の天面内部に配置されて上記本体の上面と嵌合する凹みを有する上緩衝材と、を備え、
上記軸部を上記本体背面に沿わせつつ上記スタンドを上記基部用空間に配置し、上記箱が上記緩衝材と上記本体とと上記上緩衝材と上記スタンドを内部に収容することを特徴とするパネル型表示装置の梱包構造。
【請求項３】
上記上緩衝材は、上記本体の上面右端に配置される右上緩衝材と、上記本体の上面左端に配置される左上緩衝材と、上記本体の左右方向において上面略中央に配置される中上緩衝材とから構成され、
上記右上緩衝材と上記左上緩衝材は、上記左右のスタンドの基部と係合する凹みと、該基部の後端と当接する部位の外側に形成される突起とを有し、
上記箱の下端には、上記本体における上記軸部の配置幅と同幅となるようにオフセットした位置に設けられて上記突起と係合するスリットが形成される
ことを特徴とする上記請求項２に記載のパネル型表示装置の梱包構造。
【請求項４】
パネル型の表示部を有する本体と、前後に長い基部と該基部から鉛直上方に延びる軸部とを有して該本体の表示面を略鉛直に保持し、かつ該本体から着脱可能な左右のスタンドと、を備えるパネル型表示装置の梱包構造において、
上方を開口可能な左右に長く前後に短い略直方体型の箱と、
該箱の内底に配置されて上記本体の底面と嵌合する凹みを有する下緩衝材と、
上記箱の天面内部に配置されて上記本体の上面と嵌合する凹みを有する上緩衝材と、を備えて上記箱が上記緩衝材と上記本体と上記スタンドと上記上緩衝材とを内部に収容し、  上記上緩衝材は、上記本体の上面右端に配置される右上緩衝材と、上記本体の上面左端に配置される左上緩衝材とを有して構成され、
上記右上緩衝材と上記左上緩衝材は、上記左右のスタンドの基部と係合する凹みと、該基部の後端と当接する部位の外側に形成される突起とを有し、
上記箱の下端には、上記本体における上記軸部の配置幅と同幅となるようにオフセットした位置に設けられて上記突起と係合するスリットが形成される
ことを特徴とするパネル型表示装置の梱包構造。
【請求項５】
上記突起を上記スリットに係合させ、上記凹みに上記左右のスタンドの基部を係合させ、上記本体の下面に形成される挿入穴に上記軸部を挿入して上記スタンドと上記本体に取り付けることを特徴とする上記請求項３または請求項４に記載のパネル型表示装置の梱包構造。
【請求項６】
上記凹みに係合する上記スタンドの前後方向と、上記箱に収容される本体の前後方向とが一致することを特徴とする上記請求項３〜請求項５のいずれかに記載のパネル型表示装置の梱包構造。
【請求項７】
上記箱は、上面を開口しつつ内底に上記下緩衝材が配置される略直方体形状の下箱と、該下箱に対して上方より合体する上箱とから構成されることを特徴とする上記請求項２〜請求項６のいずれかに記載のパネル型表示装置の梱包構造。
【請求項８】
上記下箱の高さは、上記下緩衝材の高さと略同一であることを特徴とする上記請求項２〜請求項７のいずれかに記載のパネル型表示装置の梱包構造。
【請求項９】
上記下緩衝材は、上記箱の内底右端に配置される右下緩衝材と、上記箱の内底左端に配置される左下緩衝材と、上記箱の左右方向において内底略中央に配置される中下緩衝材とから構成され、
上記基部用空間は、上記左下緩衝材と上記中下緩衝材の間に形成される空間と、上記右下緩衝材と上記中下緩衝材の間に形成される空間とにより構成される
ことを特徴とする上記請求項２〜請求項８のいずれかに記載のパネル型表示装置の梱包構造。
【発明の詳細な説明】
【技術分野】
【０００１】
本発明は、プラズマテレビジョンの梱包構造およびパネル型表示装置の梱包構造に関する。
【背景技術】
【０００２】
従来のスタンド一体型のプラズマテレビジョン１の梱包構造を図９、図１０に示す。図９は下箱に本体１ａを戴置するまでを示す斜視図、図１０は本体が戴置された下箱に上箱を合体させる様子を示す斜視図である。
【０００３】
図９において、開口を上に向けて台上に戴置された下箱３ａの内底面に発泡スチロールで形成される左下緩衝材２ａと左スタンド緩衝材２ｂと中下緩衝材２ｃと右スタンド緩衝材２ｄと右下緩衝材２ｅとが配置される。左下緩衝材２ａと中下緩衝材２ｃと右下緩衝材２ｅはプラズマテレビジョン１の本体１ａの底面に嵌合する凹みをそれぞれ有し、該凹みに嵌合した本体１ａと下箱３ａとの間に所定距離の空間を生じさせつつ、本体１ａが左下緩衝材２ａと中下緩衝材２ｃと右下緩衝材２ｅと接触する部位においては下箱３ａ外部に加わる衝撃を緩衝して本体１ａを保護する役割を有する。
【０００４】
また、プラズマテレビジョン１は本体１ａの表示面を略鉛直に支える左スタンド１ｂと右スタンド１ｃを有し、両スタンドは本体１ａの前後方向に長い基部と該基部から鉛直上方に延びる軸部とをそれぞれ有する。そして本体１ａ底面において左右方向に所定間隔をおいて形成される軸穴に軸部が挿入されてネジ止め固定される。従って両スタンドは本体１ａの底面より下方に突出しており、また前後方向にも長くなる。この左スタンド１ｂと右スタンド１ｃのそれぞれの基部の底面と下箱３ａとの間には、それぞれ左スタンド緩衝材２ｂと右スタンド緩衝材２ｄが配置される。左スタンド緩衝材２ｂと右スタンド緩衝材２ｄは下箱３ａと各スタンド基部との間に所定の間隔を生じさせるとともに、下箱３ａの外部に加わる衝撃を緩衝して各スタンド基部、ひいては各スタンドと該各スタンドと接続される本体１ａを保護する役割を有する。
【０００５】
上記のように配置された緩衝材２ａ〜２ｄ上に、中袋４にて覆われた本体１ａと左スタンド１ｂと右スタンド１ｃを戴置する。そして図１０のように、ダンボールを断面コ字型に折り曲げて作成された補強部材５を本体１ａの背面側から左右側面側にかけて配置する。この補強部材５の下辺は、左下緩衝材２ａと中下緩衝材２ｃと右下緩衝材２ｅと当接する部位に下方に突出する部分を有し、左下緩衝材２ａと中下緩衝材２ｃと右下緩衝材２ｅにそれぞれ形成される係合穴に係合している。また、補強部材５の上辺は、左上緩衝材６ａと中上緩衝材６ｂと右上緩衝材６ｃと当接する部位に上方に突出する部分を有し、左上緩衝材６ａと中上緩衝材６ｂと右上緩衝材６ｃにそれぞれ形成される係合穴に係合している。これにより、上箱や下箱に上下方向の衝撃が加わっても、本体１ａ上方に位置する左下緩衝材２ａと中下緩衝材２ｃと右下緩衝材２ｅと、本体１ａ下方に位置する左上緩衝材６ａと中上緩衝材６ｂと右上緩衝材６ｃと、の間隔を所定長に維持し、本体１ａに加わる衝撃を緩衝する。
【０００６】
そして本体１ａの上面には左上緩衝材６ａと中上緩衝材６ｂと右上緩衝材６ｃが配置され、上方から上箱３ｂを被せられて上箱３ｂと下箱３ａとが合体してプラズマテレビジョン１全体を覆いつつ収容する梱包箱となる。左上緩衝材６ａと中上緩衝材６ｂと右上緩衝材６ｃにはそれぞれ本体１ａの天面と嵌合する凹みを有し、該凹みに嵌合した本体１ａと上箱３ｂとの間に所定距離の空間を生じさせつつ、本体１ａが左上緩衝材６ａと中上緩衝材６ｂと右上緩衝材６ｃと接触する部位においては上箱３ｂ外部に加わる衝撃を緩衝して本体１ａを保護する役割を有する。
【０００７】
このようなテレビジョン等のディスプレイ装置を梱包する技術として以下のものが知られている。即ち、特許文献１には、箱内に表示面を水平にしてディスプレイ装置を梱包しておき、四周側面の一側面を拡開させてディスプレイ装置を起立させることにより容易に取り出し可能とする技術が記載されている。また、特許文献２には、スタンドベースとスタンド支柱とをディスプレイから分解して梱包すること、スタンドベースとディスプレイとを対向して梱包することについて記載されている。また特許文献３には、収納箱の下箱左右端部と中央部、上箱の左右端部と中央部とに緩衝部材を配置し、緩衝部材がモジュール梱包体と嵌合する凹みを有することについて記載されている。また、特許文献４には、下部梱包箱内にスタンドを収容、そのスタンド上の空間に緩衝材により保持したディスプレイを収容することについて記載されている。
【特許文献１】実用新案登録第３１１７４７３号公報
【特許文献２】特開２００４−１３１１００号公報
【特許文献３】特開２００２−３０２１８９号公報
【特許文献４】特開２００６−８９０６９号公報
【発明の開示】
【発明が解決しようとする課題】
【０００８】
しかしながら、上述した従来の梱包構造では、右スタンド１ｂ，１ｃを本体１ａと一体として梱包するため上下に長くなり、スタンドの基部長さ以上の前後方向長さを有する梱包箱が必要となる。従って、コンテナ入り数増が望めなかった。
また、従来、スタンドを取り外して梱包する構造も提案されているが、ユーザにスタンドを取り付ける作業を要求することになっていた。その際、本体を寝かせて取り付けたり、平置きした状態で位置あわせを行ったりしなければならずユーザにとっては面倒な作業となっていた。
本発明は上記課題に鑑みてなされたもので、パネル型表示装置の梱包箱の容積を減少してコンテナ入り数を増加すること、スタンドを取り外して梱包されたパネル型表示装置のスタンド取り付けを容易にすること、および取り外して梱包されたスタンドの取り付けを容易にしつつ梱包箱の容積を減少してコンテナ入り数を増加したプラズマテレビジョンの梱包構造の提供を目的とする。
【課題を解決するための手段】
【０００９】
上記課題を解決するために、本発明のパネル型表示装置の梱包構造では、パネル型の表示部を有する本体と、前後に長い基部と該基部から鉛直上方に延びる軸部とを有して該本体の表示面を略鉛直に保持し、かつ該本体から着脱可能な左右のスタンドと、を備えるパネル型表示装置の梱包構造において、上方を開口可能な左右に長く前後に短い略直方体型の箱と、該箱の内底に配置されて上記本体の底面と嵌合する凹みを有する下緩衝材と、該下緩衝材の上記本体背面側において、上記左右のスタンドの基部の長辺を左右方向に配向させてそれぞれ受け入れる基部用空間と、上記箱の天面内部に配置されて上記本体の上面と嵌合する凹みを有する上緩衝材と、を備え、上記軸部を上記本体背面に沿わせつつ上記スタンドを上記基部用空間に配置し、上記箱が上記緩衝材と上記本体とと上記上緩衝材と上記スタンドを内部に収容する構成としてある。
この構成により、梱包構造内において、左右のスタンドは、上記軸部を上記本体背面に沿わせつつ上記基部の長辺を左右方向に配向されて上記本体背面に配置される。よって、前後に長い基部が左右方向を向き、軸部が本体背面に沿って配置され、上記箱の前後方向の容積を低減できる。また、スタンドを取り外しているため上下方向の容積も低減される。
【００１０】
さらに、上記上緩衝材は、上記本体の上面右端に配置される右上緩衝材と、上記本体の上面左端に配置される左上緩衝材と、上記本体の左右方向において上面略中央に配置される中上緩衝材とから構成され、上記右上緩衝材と上記左上緩衝材は、上記左右のスタンドの基部と係合する凹みと、該基部の後端と当接する部位の外側に形成される突起とを有し、上記箱の下端には、上記本体における上記軸部の配置幅と同幅となるようにオフセットした位置に設けられて上記突起と係合するスリットが形成される構成としても構わない。即ち、上緩衝材を左端と中央部と右端の３箇所のみとしたため、緩衝材の量を減少するとともに、分離した緩衝材を利用して本体にスタンドを取り付けるスタンド取り付け構造を提供することが可能となる。また、このような構成では、上記突起を上記スリットに係合させ、上記凹みに上記左右のスタンドの基部を係合させ、上記本体の下面に形成される挿入穴に上記軸部を挿入して上記スタンドと上記本体に取り付ける。
【００１１】
さらに、上記凹みに係合する上記スタンドの前後方向と、上記箱に収容される本体の前後方向とが一致するように構成しても構わない。このように構成すると、本体を下箱から取り出してそのまま平行移動させると、スタンド取り付け構造上に位置することになり、本体にスタンドを取り付ける際のユーザの作業量を減少することが出来る。
【００１２】
また、上記箱は、上面を開口しつつ内底に上記下緩衝材が配置される略直方体形状の下箱と、該下箱に対して上方より合体する上箱とから構成されてもよい。この構成によれば、上箱と下箱とを別々にしたため、下箱からのパネル型表示装置の取出しが容易になる。
【００１３】
そして、上記下箱の高さは、上記下緩衝材の高さと略同一としてもよい。即ち、下箱と緩衝材の高さを略一致させることにより、下緩衝材から本体を取り出したとき、そのまま横に移動させて本体を箱から取り出すことが可能になり、開梱時のユーザの負担を減少することが出来る。
【００１４】
さらに、上記下緩衝材は、上記箱の内底右端に配置される右下緩衝材と、上記箱の内底左端に配置される左下緩衝材と、上記箱の左右方向において内底略中央に配置される中下緩衝材とから構成され、上記基部用空間は、上記左下緩衝材と上記中下緩衝材の間に形成される空間と、上記右下緩衝材と上記中下緩衝材の間に形成される空間とにより構成されてもよい。即ち、下緩衝材を左端と中央部と右端の３箇所のみとしたため、緩衝材の量を減少するとともに、各緩衝材間に取り外したスタンドを配置することができる。
【００１５】
さらに、より具体的な構成として、映像が表示されるプラズマディスプレイパネルの表示面を有する本体と、前後に長い基部と該基部から鉛直上方に延びる軸部とをそれぞれ有して該本体の表示面を略鉛直に保持し、かつ該本体から着脱可能な左スタンドと右スタンドと、を備えるプラズマテレビジョンの梱包構造において、左右長さおよび前後長さが上記本体よりも十分に大きく、高さが上記本体よりも低い略直方体形状であり、上面を開口した形状の下箱と、上記下箱内底の左端と右端と左右方向略中央部とに、それぞれ配置されて上記本体の底面と嵌合する凹みをそれぞれ有し、上記下箱と略同一の高さである左下緩衝材と右下緩衝材と中下緩衝材と、上記本体上面内側の左端と右端と左右方向略中央部とに、それぞれ配置されて上記本体の上面と嵌合する凹みをそれぞれ有する左上緩衝材と右上緩衝材と中上緩衝材と、下面を開口した略直方体形状であり、該開口の内面側サイズが上記下箱の外面側に略一致し、かつ上記左下緩衝材と上記右下緩衝材と上記中下緩衝材と上記本体と上記左スタンドと上記右スタンドと上記左上緩衝材と上記右上緩衝材と上記中上緩衝材とを上記下箱に配置して上方から被せると天面に上記左上緩衝材と上記中上緩衝材と上記右上緩衝材とが当接したときに下端が上記下箱の下面と略一致する上箱と、を備え、上記左下緩衝材の後部右上角には、上記下箱の背面側との間に緩衝材を残しつつ上記左スタンドと係合する第一の係合凹みが形成され、該第一の係合凹みの前後方向幅は上記左スタンドの幅と略一致し、該第一の係合凹みの左側下端には左方向奥に向かって第一の穴が形成され、上記中下緩衝材の後部左上角には、上記下箱の背面側との間に緩衝材を残しつつ上記左スタンドと係合する第二の係合凹みが形成され、該第二の係合凹みの前後方向幅は上記左スタンドの幅と略一致し、上記右下緩衝材の後部左上角には、上記下箱の背面側との間に緩衝材を残しつつ上記右スタンドと係合する第三の係合凹みが形成され、該第三の係合凹みの前後方向幅は上記右スタンドの幅と略一致し、該第三の係合凹みの右側下端には右方向奥に向かって第二の穴が形成され上記中下緩衝材の後部右上角には、上記下箱の背面側との間に緩衝材を残しつつ上記右スタンドと係合する第四の係合凹みが形成され、該第四の係合凹みの前後方向幅は上記右スタンドの幅と略一致し、上記右スタンドは、上記第一の穴に基部の後端を挿入してから、上記第一の係合凹みと上記第二の係合凹みとに該基部を係合させることにより上記下箱内に固定され、上記左スタンドは、上記第二の穴に基部の後端を挿入してから、上記第三の係合凹みと上記第四の係合凹みとに該基部を係合させることにより上記下箱内に固定され、上記左上緩衝材の上面には、幅が基部の幅と略同一で上記左スタンドの基部と係合する第五の係合凹みが形成され上記右上緩衝材の上面には、幅が基部の幅と略同一で上記右スタンドの基部と係合する第六の係合凹みが形成され上記左上緩衝材の背面側には第一の突起が形成され、上記右上緩衝材の背面側には第二の突起が形成され、上記下箱の前面側には、下箱の開口側端から略鉛直下方に向けて上記本体における上記左スタンドと上記右スタンドの間隔に一致する間隔で第一のスリットと第二のスリットが形成され、上記第一の突起と上記第二の突起をそれぞれ上記第一のスリットと上記第二のスリットに係合させ、上記第五の係合凹みと上記第六の係合凹みにそれぞれ上記左スタンドの基部と上記右スタンドの基部を係合させ、上記本体の下面に形成されるスタンド用の挿入穴に上記軸部を挿入し、上記左スタンドおよび上記右スタンドを上記本体にネジ止め固定する構成としてある。
【発明の効果】
【００１６】
以上説明したように本発明の請求項２にかかる発明によれば、前後に長い基部が左右方向を向き、上記箱の前後方向の容積を低減できるとともに、スタンドを取り外しているため上下方向の容積も低減でき、コンテナ入り数１２％増が見込めるパネル型テレビジョンの梱包構造を提供することができる。
また請求項３，４にかかる発明によれば、分離した上緩衝材を利用して本体にスタンドを取り付けるスタンド取り付け構造を提供することが可能となる。よって、スタンド組付け時のユーザ負担を減少することが出来る。
また請求項５、６にかかる発明によれば、、緩衝材の量を減少するとともに、分離した緩衝材を利用して本体にスタンドを取り付けるスタンド取り付け構造を提供することが可能となる。よって、スタンド組付け時のユーザ負担を減少することが出来る。
また請求項７にかかる発明によれば、下箱からのパネル型表示装置の取出しが容易になる。
そして請求項８にかかる発明によれば、開梱時のユーザの負担を減少することが出来る
さらに請求項９にかかる発明によれば、緩衝材の量を減少するとともに、各緩衝材間に取り外したスタンドを配置することができる。
さらに請求項１のような、より具体的な構成において、上述した請求項２〜請求項９の各発明と同様の作用を奏することはいうまでもない。
【発明を実施するための最良の形態】
【００１７】
以下、下記の順序に従って本発明の実施形態を説明する。
（１）プラズマテレビジョンの構成：
（２）プラズマテレビジョンの梱包構造：
（３）プラズマテレビジョン開梱時の組立：
（４）まとめ：
【００１８】
（１）プラズマテレビジョンの構成： 
【００１９】
図１は、パネル型表示装置としてのプラズマテレビジョン１０の概略構成を説明するブロック図である。同図において、プラズマテレビジョン１０は、本体の動作を制御するコントローラ１７ｂと、図示しないアンテナで受信されるテレビ放送信号から選択されているチャンネルのテレビ放送信号を抽出して出力するチューナ１７ｄと、該チューナ１７ｄが出力したテレビ放送信号に基く映像信号を出力する映像処理部１７ｆと、この映像信号に基づく映像を表示面に表示する表示部としてのプラズマディスプレイパネル（ＰＤＰ）３０と、該チューナ１７ｄが出力したテレビ放送信号に基く音声をスピーカ１７ｇから出力する音声処理部１７ｈと、リモコン１７ｃから送信されてきた制御コマンドを受信するリモコン受信部１７ａとを備えている。
【００２０】
これら、コントローラ１７ｂとチューナ１７ｄと映像処理部１７ｆと音声処理部１７ｈとリモコン受信部１７ａとは、回路として主基板に実装され、ＰＤＰ３０の背面に取り付けられる。コントローラ１７ｂは、リモコン受信部１７ａで受信した制御コマンドに応じて、電源のオン／オフ、チャンネルの切換、音量のアップ／ダウン等を制御する。尚、プラズマテレビジョン１０の各部には、図示していない電源回路から動作電源が供給されている。この電源回路の入力は、商用電源（例えば、ＡＣ１００Ｖ）である。
【００２１】
なお、本実施形態ではＰＤＰ３０から映像を出力するプラズマテレビジョンを例に取り上げて説明するが、本考案のパネル型表示装置には、液晶パネルから映像を出力する液晶テレビジョン等も考えられる。
【００２２】
図２は、プラズマテレビジョン１０を斜め前方より見た斜視図である。同図において、キャビネット２０は、横に長い略長方形であるとともに前後に薄型の筐体を構成している。このキャビネット２０は前面にＰＤＰ３０の表示面を露出させる略矩形の開口を有するフロントキャビネットと、背面からフロントキャビネットと合わせて取り付けられるリアキャビネットとから成る。
【００２３】
さらにプラズマテレビジョン１０の表示面を略鉛直に保持する右スタンド１０ｃと左スタンド１０ｂとがキャビネット２０下面に形成された挿入穴からそれぞれ下方へと突き出している。右スタンド１０ｃと左スタンド１０ｂとは、床面と面接触する基部１０ｃ１、１０ｂ１と、各基部よりそれぞれ略鉛直上方に延びるコ字型パイプの左軸１０ｂ２と右軸１０ｃ２とから成る。各基部は前後に長い形状であり、軸部より前方に位置する基部が長くなるように形成されている。これら右スタンド１０ｃと左スタンド１０ｂは、ネジにより固定されており、このネジを外すことによりプラズマテレビジョン１０の本体１０ａから着脱可能となる。
【００２４】
（２）プラズマテレビジョンの梱包構造： 
以下、図３〜５を参照してプラズマテレビジョン１０の梱包構造および梱包順について説明する。図３はプラズマテレビジョンの梱包構造を分解して示した斜視図、図４はプラズマテレビジョンが梱包された状態の梱包構造を上下左右面にて切断した断面図および上下前後面にて切断した断面図、である。以下の記載において、上下左右および前後の方向は本体１０ａを基準にして記載してある。
【００２５】
図３において、梱包箱１１は下箱１１ａと上箱１１ｂとから構成される。また、梱包箱１１内部には、左下緩衝材１２ａと右下緩衝材１２ｃと中下緩衝材１２ｂと本体１０ａと左スタンド１０ｂと右スタンド１０ｃと中袋１３と左上緩衝材１４ａと右上緩衝材１４ｃと中上緩衝材１４ｂとが収容される。
【００２６】
下箱１１ａは、段ボールで作成され、高さを緩衝材１２ａ〜１２ｃの高さと同程度とし、左右長さおよび前後長さが本体１０ａよりも十分に大きなサイズとされ、略直方体形状の上面を開口した形状となっている。この下箱１１ａ内の左端と右端と左右方向略中央部とに、それぞれ左下緩衝材１２ａと右下緩衝材１２ｃと中下緩衝材１２ｂとが配置される。このとき各緩衝材１２ａ〜１２ｃの高さと下箱１１ａの高さとが略一致しているため、本体１０ａを下箱１１ａ内に戴置する時、もしくは下箱１１ａ内に戴置された本体１０ａの取り出し時の持ち上げ高さが少なくて済み、梱包作業、開梱作業が容易になり、作業性の向上、ユーザの利便性の向上が図れる。
【００２７】
上箱１１ｂも段ボールで作成され、下面を開口した略直方体形状とされる。上箱１１ｂの開口サイズは、開口の内面側が下箱１１ａの外面側に一致するように形成される。また、左下緩衝材１２ａと右下緩衝材１２ｃと中下緩衝材１２ｂと本体１０ａと左スタンド１０ｂと右スタンド１０ｃと中袋１３と左上緩衝材１４ａと右上緩衝材１４ｃと中上緩衝材１４ｂとを下箱１１ａに配置して上方から上箱１１ｂを被せると、上箱１１ｂの天面に左上緩衝材１４ａと中上緩衝材１４ｂと右上緩衝材１４ｃとが当接したときに上箱１１ｂの下端が下箱１１ａの下面と略一致するサイズとされる。
【００２８】
左下緩衝材１２ａと右下緩衝材１２ｃと中下緩衝材１２ｂとは発泡スチロールで形成される。左下緩衝材１２ａの上面略中央から右側面にかけての右上角には凹み１２ａ１が形成され、この凹み１２ａ１に本体１０ａの左下角が当接する。つまり左下緩衝材１２ａは、本体１０ａの左下と下箱１１ａの下面、前後面、左側面との間の緩衝機能を担っている。右下緩衝材１２ｃの上面略中央から左側面にかけての左上角には凹み１２ｃ１が形成され、この凹み１２ｃ１に本体１０ａの右下角が当接する。つまり右下緩衝材１２ｃは、本体１０ａの右下と下箱１１ａの下面、前後面、右側面との間の緩衝機能を担っている。中下緩衝材１２ｂの上面には左側面から右側面にかけて溝状の凹み１２ｂ１が形成され、この凹み１２ｂ１に本体１０ａの左右方向中央下部が当接する。つまり中下緩衝材１２ｂは、本体１０ａの左右方向中央下部と下箱１１ａの下面、前後面との間の緩衝機能を担っている。
【００２９】
左下緩衝材１２ａの後部右上角には、下箱１１ａの背面側との間に発泡スチロールを残しつつ左スタンド１０ｂと係合する係合凹み１２ａ２（第一の係合凹み）が形成される。この係合凹み１２ａ２の前後方向幅は、左スタンド１０ｂの幅と略一致しており、この係合凹み１２ａ２の左側下端には、左方向奥に向かって穴１２ａ３（第一の穴）が形成される。また、中下緩衝材１２ｂの後部左上角には、下箱１１ａの背面側との間に発泡スチロールを残しつつ左スタンド１０ｂと係合する係合凹み１２ｂ２（第二の係合凹み）が形成される。この係合凹み１２ｂ２の前後方向幅は左スタンド１０ｂの幅と略一致している。左スタンド１０ｂは、左下緩衝材１２ａに形成される穴１２ａ３に基部１０ｂ１の後端を挿入してから、左下緩衝材１２ａと中下緩衝材１２ｂに形成される係合凹み１２ａ２，１２ｂ２に基部１０ｂ１を係合させることにより下箱１１ａ内に固定される。
【００３０】
右下緩衝材１２ｃの後部左上角には、下箱１１ａの背面側との間に発泡スチロールを残しつつ右スタンド１０ｃと係合する係合凹み１２ｃ２（第三の係合凹み）が形成される。この係合凹み１２ｃ２の前後方向幅は、右スタンド１０ｃの幅と略一致しており、この係合凹み１２ｃ２の右側下端には、右方向奥に向かって穴１２ｃ３（第二の穴）が形成される。また、中下緩衝材１２ｂの後部右上角には、下箱１１ａの背面側との間に発泡スチロールを残しつつ右スタンド１０ｃと係合する係合凹み１２ｂ３（第四の係合凹み）が形成される。この係合凹み１２ｂ３の前後方向幅は右スタンド１０ｃの幅と略一致している。右スタンド１０ｃは、右下緩衝材１２ｃに形成される穴１２ｃ３に基部１０ｃ１の後端を挿入してから、右下緩衝材１２ｃと中下緩衝材１２ｂに形成される係合凹み１２ｃ２，１２ｂ３に基部１０ｃ１を係合させることにより下箱１１ａ内に固定される。
【００３１】
以上より、左下緩衝材１２ａの穴１２ａ３と係合凹み１２ａ２、および中下緩衝材１２ｂの係合凹み１２ｂ２、そして左下緩衝材１２ａと中下緩衝材１２ｂの間に形成される空間が左スタンドの基部用空間を構成し、右下緩衝材１２ｃの穴１２ｃ３と係合凹み１２ｃ２、および中下緩衝材１２ｂの係合凹み１２ｂ３、そして左下緩衝材１２ａと中下緩衝材１２ｂの間に形成される空間が右スタンドの基部用空間を構成する。
【００３２】
左上緩衝材１４ａと右上緩衝材１４ｃと中上緩衝材１４ｂとは発泡スチロールで形成される。左上緩衝材１４ａの下面略中央から右側面にかけての右下角には凹み１４ａ１が形成され、この凹み１４ａ１に本体１０ａの左上角が当接する。つまり左上緩衝材１４ａは、本体１０ａの左上と上箱１１ｂの上面、前後面、左側面との間の緩衝機能を担っている。右上緩衝材１４ｃの下面略中央から左側面にかけての左下角には凹み１４ｃ１が形成され、この凹み１４ｃ１に本体１０ａの右上角が当接する。つまり右上緩衝材１４ｃは、本体１０ａの右上と上箱１１ｂの上面、前後面、右側面との間の緩衝機能を担っている。中上緩衝材１４ｂの下面には左側面から右側面にかけて溝状の凹み１４ｂ１が形成され、この凹み１４ｂ１に本体１０ａの左右方向中央上部が当接する。つまり中上緩衝材１４ｂは、本体１０ａの左右方向中央上部と下箱１１ａの上面、前後面との間の緩衝機能を担っている。
【００３３】
以上の構成により、プラズマテレビジョン１０がどのように梱包されるかを図５のフローチャートを参照して説明する。
プラズマテレビジョン１０を梱包するには、まずステップＳ１０で下箱１１ａを開口を上に向けて台上もしくはライン上に戴置する。次に、ステップＳ１２で下箱１１ａの左下隅と中央部と右下隅にそれぞれ左下緩衝材１２ａと中下緩衝材１２ｂと右下緩衝材１２ｃを配置する。そしてステップＳ１４で本体１０ａを中袋１３で覆い、ステップＳ１６で、戴置された左下緩衝材１２ａと中下緩衝材１２ｂと右下緩衝材１２ｃの凹み１２ａ１，１２ｂ１，１２ｃ１に本体１０ａの下面を係合させつつ戴置する。
【００３４】
ステップＳ１８では、左スタンド１０ｂの基部１０ｂ１後端を穴１２ａ３に挿入しつつ左スタンド１０ｂの基部１０ｂ１を係合凹み１２ａ２と凹み１２ｂ２に係合させて戴置し、右スタンド１０ｃの基部１０ｃ１後端を穴１２ｃ３に挿入しつつ右スタンド１０ｃの基部１０ｃ１を係合凹み１２ｃ２と係合凹み１２ｂ３に係合させて戴置する。これにより左スタンド１０ｂと右スタンド１０ｃは、本体１０ａの背面側において基部１０ｂ１、１０ｃ１の長辺をを左右方向に配向させつつ軸部１０ｂ２、１０ｃ２を上下方向に配向させて配置される。
【００３５】
ステップＳ２０では、本体１０ａの左上端と中央上部と右上端とに、凹み１４ａ１と凹み１４ｂ１と凹み１４ｃ１とを係合させてそれぞれ左上緩衝材１４ａと中上緩衝材１４ｂと右上緩衝材１４ｃを戴置する。
【００３６】
ステップＳ２２では、上箱１１ｂを下箱１１ａの下端まで被せて上箱１１ｂと下箱１１ａとを合体させる。そして最後にステップＳ２４で上箱１１ｂと下箱１１ａの外部から紐や梱包用のテープなどをかけて出荷する。
【００３７】
（３）プラズマテレビジョン開梱時の組立： 
また、本発明では左スタンド１０ｂと右スタンド１０ｃを取り外して梱包するため、開梱時に左スタンド１０ｂと右スタンド１０ｃと本体１０ａとを組み立てる必要がある。ところが、プラズマテレビジョンの本体１０ａはもちろん、ディスプレイを有する部位は大きくて重いためこのような組立作業は大変である。従って、本発明では、組立作業を行いやすくするための構造を設けた。以下、図６〜８を参照して、この構造の説明と、この構造を利用した組立作業の説明を行う。図６はプラズマテレビジョンの開梱状態を分解して示した斜視図、図７はプラズマテレビジョンのスタンド取り付け構造を説明する斜視図、図８はプラズマテレビジョンの梱包箱を開梱してスタンドと本体とを組み立てる作業の流れを説明するフローチャートである。
【００３８】
左上緩衝材１４ａの上面には、左スタンド１０ｂの基部１０ｂ１と係合する凹み１４ａ２（第五の係合凹み）が形成される。この凹み１４ａ２は、幅が基部１０ｂ１の幅と略同一であり、前方に壁が無く、基部１０ｂ１と係合すると基部１０ｂ１の前端がこの凹み１４ａ２からはみ出すようになっている。無論、左上緩衝材１４ａの前後長さが十分であれば、基部１０ｂ１がはみ出さないように凹み１４ａ２を形成しても構わない。
【００３９】
同様に、右上緩衝材１４ｃの上面には、右スタンド１０ｃの基部１０ｃ１と係合する凹み１４ｃ２（第六の係合凹み）が形成される。この凹み１４ｃ２は、幅が基部１０ｃ１の幅と略同一であり、前方に壁が無く、基部１０ｃ１と係合すると基部１０ｃ１の前端がこの凹み１４ｃ２からはみ出すようになっている。無論、左上緩衝材１４ａの前後長さが十分であれば、基部１０ｃ１がはみ出さないように凹み１４ｃ２を形成しても構わない。
【００４０】
また、左上緩衝材１４ａの背面側には突起１４ａ３（第一の突起）が形成され、右上緩衝材１４ｃの背面側には突起１４ｃ３（第二の突起）が形成される。そして下箱１１ａの前面側には、下箱の開口側端から略鉛直下方に向けてスリット１１ａ１（第一のスリット）とスリット１１ａ２（第二のスリット）が形成される。
【００４１】
スリット１１ａ１とスリット１１ａ２は下箱１１ａの前面側に互いの間隔が、本体１０ａにおける左スタンド１０ｂと右スタンド１０ｃを取り付ける穴の間隔に一致する間隔で形成される。即ち、下箱１１ａの前面側には左右に所定の間隔を置いてオフセットした位置にそれぞれスリット１１ａ１とスリット１１ａ２が形成される。
【００４２】
また、突起１４ａ３，１４ｃ３は、左右の上緩衝材それぞれの凹み１４ａ２、１４ｃ２に対して基部１０ｂ１、１０ｃ１がそれぞれ係合されたとき、基部１０ｂ１、１０ｃ１の後端が位置する側の外側に形成される。これら突起１４ａ３，１４ｃ３は、スリット１１ａ１、１１ａ２にそれぞれ嵌合する大きさに形成され、突起１４ａ３，１４ｃ３がスリット１１ａ１、１１ａ２にそれぞれ嵌合すると、凹み１４ａ２、１４ｃ２に係合された基部１０ｂ１、１０ｃ１が下箱１１ａの前面に対して垂直になる。即ち、左軸１０ｂ２と右軸１０ｃ２は、下箱１１ａの戴置された床面に対して略鉛直上方を向くことになる。
【００４３】
以上の構成により、図８を参照してプラズマテレビジョン１０の梱包箱を開梱してスタンドと本体とを組み立てる作業の流れを説明する。
【００４４】
ユーザが梱包されたプラズマテレビジョンを受け取ると、まずステップＳ５０で梱包箱１１を縛ってある紐を解く。そしてステップＳ５２で、上箱１１ｂを上方に引張って取り外す。次に、ステップＳ５４で本体１０ａの左上端と右上端に係合している左上緩衝材１４ａと右上緩衝材１４ｃとを取り外し、それぞれ下箱１１ａのスリット１１ａ１、１１ａ２に突起１４ａ３，１４ｃ３を係合させてセットする。
【００４５】
ステップＳ５６では本体１０ａから中袋１３を取り外し、ステップＳ５８で左スタンド１０ｂと右スタンド１０ｃを基部用空間から取り出して、それぞれ左上緩衝材１４ａの凹み１４ａ２と右上緩衝材１４ｃの凹み１４ｃ２とにセットする。
【００４６】
そしてステップＳ６０で本体１０ａを持ち上げて、本体１０ａの下面のスタンド挿入用の穴に対して左軸１０ｂ２と右軸１０ｃ２の位置を合わせて、本体１０ａを徐々に加工させて左軸１０ｂ２と右軸１０ｃ２がそれぞれ対応するスタンド挿入穴に挿入される。最後にステップＳ６２で左スタンド１０ｂと右スタンド１０ｃを本体１０ａにネジ止めにより固定する。
【００４７】
（４）まとめ： 
つまり、下箱１１ａにおいて、左スタンド１０ｂと右スタンド１０ｃを、本体１０ａの背面側において基部１０ｂ１、１０ｃ１の長辺をを左右方向に配向させつつ軸部１０ｂ２、１０ｃ２を上下方向に配向させて配置する。また、突起１４ａ３をスリット１１ａ１に、突起１４ｃ３をスリット１１ｃ１にそれぞれ係合させる。そして、凹み１４ａ２，１４ｃ２にそれぞれ左スタンド１０ｂと右スタンド１０ｃを係合させて、本体１０ａの底面に形成される挿入穴と各スタンドの軸部１０ｂ２，１０ｃ２の位置を合わせて軸部１０ｂ２，１０ｃ２を挿入穴に挿入する。これにより取り外して梱包されたスタンドの取り付けを容易にしつつ梱包箱の容積を減少してコンテナ入り数を増加することが可能となる。
【００４８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４９】
【図１】プラズマテレビジョンの概略構成を説明するブロック図である。
【図２】プラズマテレビジョンを斜め前方より見た斜視図である。
【図３】プラズマテレビジョンの梱包構造を分解して示した斜視図である。
【図４】プラズマテレビジョンが梱包された状態の梱包構造を上下左右面にて切断した断面図および上下前後面にて切断した断面図である。
【図５】プラズマテレビジョンの梱包作業を説明するフローチャートである。
【図６】プラズマテレビジョンの開梱状態を分解して示した斜視図である。
【図７】プラズマテレビジョンのスタンド取り付け構造を説明する斜視図である。
【図８】プラズマテレビジョンの梱包箱を開梱してスタンドと本体とを組み立てる作業の流れを説明するフローチャートである。
【図９】従来の下箱に本体を戴置するまでを示す斜視図である。
【図１０】従来の本体が戴置された下箱に上箱を合体させる様子を示す斜視図である。
【符号の説明】
【００５０】
１０…プラズマテレビジョン  １７ａ…リモコン受信部  １７ｂ…コントローラ  １７ｃ…リモコン  １７ｄ…チューナ  １７ｆ…映像処理部  １７ｇ…スピーカ  １７ｈ…音声処理部  ２０…キャビネット  ３０…プラズマディスプレイパネル（ＰＤＰ）
１０ａ…左スタンド  １０ｂ…右スタンド  １０ｂ１…基部  １０ｂ２…左軸  １０ｃ１…基部  １０ｃ２…右軸  １１…梱包箱  １１ａ…下箱  １１ａ１…スリット  １１ａ２…スリット  １１ｂ…上箱  １２ａ…左下緩衝材  １２ａ１…凹み  １２ａ２…係合凹み  １２ａ３…穴  １２ｂ…中下緩衝材  １２ｂ１…凹み  １２ｂ２…係合凹み  １２ｂ３…係合凹み  １２ｃ…右下緩衝材  １２ｃ１…凹み  １２ｃ２…係合凹み  １２ｃ３…穴  １３…中袋  １４ａ…左上緩衝材  １４ａ１…凹み  １４ａ２…凹み  １４ａ３…突起  １４ｂ…中上緩衝材  １４ｂ１…凹み  １４ｃ…右上緩衝材  １４ｃ１…凹み  １４ｃ２…凹み  １４ｃ３…突起
１…プラズマテレビジョン  １ａ…本体  １ｂ…左スタンド  １ｃ…右スタンド  ２ａ…左下緩衝材  ２ｂ…左スタンド緩衝材  ２ｃ…中下緩衝材  ２ｄ…右スタンド緩衝材  ２ｅ…右下緩衝材  ３ａ…下箱  ３ｂ…上箱  ４…中袋  ５…補強部材  ６ａ…左上緩衝材  ６ｂ…中上緩衝材  ６ｃ…右上緩衝材
【図１】
2008074416.tif 000003
【図２】
2008074416.tif 000004
【図３】
2008074416.tif 000005
【図４】
2008074416.tif 000006
【図５】
2008074416.tif 000007
【図６】
2008074416.tif 000008
【図７】
2008074416.tif 000009
【図８】
2008074416.tif 000010
【図９】
2008074416.tif 000011
【図１０】
2008074416.tif 000012